(57)【要約】      （修正有）【課題】 容易に布団を出し入れすることができる布団カバーを提供する。【解決手段】布団カバー１は、 方形状の同じ大きさの表生地２と裏生地からなり、周囲の四辺のうち三辺は閉じられ、残りの一辺（下辺２ｄ）が開放され、下辺と反対側の辺（上辺２ｃ）に腕を出し入れできる大きさの２か所のスリット４ａ、４ｂが設けられ、２か所のスリットはそれぞれ上辺の左右端部から５ｃｍの位置まで開口している。【選択図】図１
0003226035.tif 000002
【実用新案登録請求の範囲】
【請求項１】
方形状の同じ大きさの表生地と裏生地からなり、周囲の四辺のうち三辺は閉じられ、残りの一辺（下辺）が開放されている布団カバーであって、前記下辺と反対側の辺（上辺）に腕を出し入れできる大きさの２か所のスリットが設けられていることを特徴とする布団カバー。
【請求項２】
前記下辺に表生地と裏生地を開閉するリボン付きファスナーを設けたことを特徴とする請求項１記載の布団カバー。
【請求項３】
前記布団カバーの内部において、上辺の中央位置、上下辺を除く二辺（左辺、右辺）の両端位置及び中央位置、及び下辺のファスナーテープの両端位置に布団留め手段を設けたことを特徴とする請求項１または２記載の布団カバー。
【請求項４】
前記布団留め手段が、相互に結合可能な２個のスナップボタンを適宜の間隔で設置したリボンの一端を布団カバーの所定位置に縫着したものであり、前記左右辺の上端位置の布団留め手段は上辺と平行に設けられていることを特徴とする請求項１ないし３のいずれか１項記載の布団カバー。
【考案の詳細な説明】
【技術分野】
【０００１】
本考案は布団の全面を覆うように装着され容易に取り外せるように構成した布団カバーに関する。
【背景技術】
【０００２】
断熱性の高い大型の布団は容易に洗濯することができないため、容易に洗濯できる薄手の生地からなる袋状の布団カバーを被せて使用することが一般に行われている。定期的に布団カバーのみを布団から外して洗濯することにより、布団の表面が汚れるのを防ぐとともに衛生的な使用状態を保つことができる。
【０００３】
例えば、同じ大きさの長方形状の表生地と裏生地からなり、長方形の周囲の四辺のうち三辺を縫合し、残りの一辺（下辺）を開口部として表生地と裏生地を開閉するファスナーを設けた布団カバーが広く使用されている。
【０００４】
特開平１０−３３３４１号公報には、略長方形で袋状の本体部の一辺に開口部を設け、その開口部に一方向に開閉自在な片開きファスナーを設けるとともに、本体部の内側の各コーナーに２本１組のひも状の布団留めを設けた布団カバーにおいて、前記開口部と反対側の一辺に３個の小開口部を設け、そこから手を挿入して近くの布団留めを係脱できるようにしたものが記載されている。
【０００５】
また同公報には、２本１組のひも状の布団留めの先端に相互に係脱可能な１組の係合具を設け、一方のひもを布団の対応箇所に設けられた輪部に通して両者を係合させることで布団と布団カバーとを結着させることが記載されている。
【先行技術文献】
【特許文献】
【０００６】
特開平１０−３３３４１号公報
【考案の概要】
【考案が解決しようとする課題】
【０００７】
しかしながら、上記の布団カバーにおいては布団留めの係脱は便利であるものの、布団カバーに布団を入れるには開口部から押し込む形になって扱いにくく、また布団カバーの布団留めと布団の対応部との位置合わせに手間がかかる問題があった。また布団留め・小開口部の製作にコストがかかる問題があった。
【０００８】
本考案の目的は、上記従来の布団カバーが有する課題のいずれかを解決し、容易に布団を出し入れすることができるように工夫した布団カバーを提供することにある。
【課題を解決するための手段】
【０００９】
本出願の請求項１記載の考案は、方形状の同じ大きさの表生地と裏生地からなり、周囲の四辺のうち三辺は閉じられ、残りの一辺（下辺）が開放されている布団カバーであって、前記下辺と反対側の辺（上辺）に腕を出し入れできる大きさの２か所のスリットが設けられたことを特徴とする布団カバーにより、上記の課題を解決する。
【００１０】
請求項２記載の考案は、前記下辺に表生地と裏生地を開閉するファスナーを設け、ファスナーブロックの引き手にリボンを設けたことを特徴とする請求項１記載の布団カバーにより、上記の課題を解決する。
【００１１】
請求項３記載の考案は、前記布団カバーの内部において、上辺の中央位置、上下辺を除く２辺（左辺、右辺）の両端位置及び中央位置、及び下辺のファスナーテープの両端位置に布団留め手段を設けたことを特徴とする請求項１または２記載の布団カバーにより、上記の課題を解決する。
【００１２】
請求項４記載の考案は、前記布団留め手段が、相互に結合可能な２個のスナップボタンを適宜の間隔で設置したリボンの一端を布団カバーの所定位置に縫着したものであり、前記左右辺の上端位置の布団留め手段は上辺と平行に設けられていることを特徴とする請求項１ないし３のいずれか１項記載の布団カバーにより、上記の課題を解決する。
【考案の効果】
【００１３】
請求項１記載の考案では、スリットの位置及び大きさを見直し、上辺の２か所のみにスリットを設けることにより、スリットから腕を入れて布団を下辺より引き込んで着脱し、また周辺の布団留め具を操作することができるようにした。
【００１４】
請求項２記載の考案は、前記下辺に表生地と裏生地を開閉するファスナーを設け、ファスナーブロックの引き手にリボンを設けたことにより、小柄な人や大きい布団の場合でも容易にファスナーを操作することができるようにとした。
【００１５】
請求項３記載の考案では、布団カバーの隅の布団留め手段を布団カバー内部の角でなく左右の辺に設置することにより、耐久性が向上するとともに縫着作業が容易となり製造コストを削減することができた。また布団カバーの隅においてスリットと反対側に布団留め手段があることにより、手探りでも容易に布団留め手段を操作することができるようにした。
【００１６】
請求項４記載の考案では、布団留め手段を２個のスナップボタンを備えたリボンとすることにより、２本のリボンを設ける場合に比べて操作を容易とすることができる。また左右辺の上端位置の布団留め手段は上辺と平行に設けられていることにより、スリットから手を入れて容易にスナップボタンを操作できるようにした。
【図面の簡単な説明】
【００１７】
【図１】本考案の一実施例の布団カバーを示す全体平面図である。
【図２】本考案の一実施例の布団カバーの上辺と左辺または右辺の間の隅部の詳細を示す拡大平面図である。
【考案を実施するための形態】
【００１８】
次に、本考案の一実施形態について図面を参照して詳細に説明する。本実施形態は考案にかかる布団カバーの一例を示すものであり、実用新案登録請求の範囲を限定するものではない。
【００１９】
図１は本実施形態に係る布団カバーの全体平面図であり、使用時に頭のくる側が上に描かれている。本明細書中、縦横・上下左右等の記述はこの図の方向を基準とする。本実施形態の布団カバー１は縦長長方形（例えば２００センチメートルｘ１５０センチメートル）の表生地２及び同じ形・大きさの裏生地３よりなる。平面図では表生地２のみが見えているが裏生地３の構成もほぼ同様である。
【００２０】
表生地２の左辺２ａおよび右辺２ｂは、裏返した状態で、端に縫い代０．６ミリメートル程度を残して裏生地３の対応する辺と縫合されており、また上辺２ｃにおいては後述する両端付近のスリット４ａおよび４ｂの部分を除き同様に裏生地３と縫合されている。
【００２１】
下辺（開口部）表生地の２ｄのほぼ全長（１５０センチメートル中で約１４５センチメートル）にわたる部分にはファスナーテープ５が縫着されており、ファスナーブロック６をスライドさせることにより、裏生地に同様に縫着された図示しないファスナーテープと係脱させ、下辺２ｄのほぼ全体を開口させまたは閉じることが可能となっているので、布団をたたまずに布団カバーに引き込むことができる。ファスナーブロック６には指でつまみやすい形状の引き手６ａが設けられ、引き手６ａの先端にはリボン６ｂが設けられている。
【００２２】
なお、本実施形態では布団カバーを縦長の方形状とし、短い下辺２ｄを開口部としているが、左右の長辺（図１の２ａまたは２ｂ）を開口部とすることも可能であり、その場合スリット４ａ及び４ｂは対向する長辺に設けられる。また本明細書における方形の語は正方形を含むものであり、正方形の布団カバー場合には、縦横の長さは同じであるが開口部・スリットの位置関係は上と同様である。
【００２３】
図２は上辺２ｃと左辺２ａまたは右辺２ｂとの間の隅部の拡大平面図である。布団カバー１の上辺２ａの左右端部の付近には約１５センチメートル程度の幅をもつスリット４ａ及び４ｂが設けられ、腕を通すことができるようになっている。また上辺２ａ端部とスリット端部との間には上生地２と下生地３が縫合された５センチメートル程度の領域を設けることで耐久性を高めている。スリットの縁の部分は折り返して重ねることで手を通したときの感触を良くするとともに生地のほつれを防止する。
【００２４】
布団カバー１の各辺の中央位置７ａ、７ｂ、７ｃ、７ｄおよび左右辺の端（上辺または下辺に隣接する部分）７ｅ、７ｆ、７ｇ、７ｈには布団留め具であるリボン８の一端を縫着する。左右辺の端のリボンの縫着位置は隣接する隅部から２センチメートル程度の位置とする。リボン８の長さは例えば１０センチメートル程度であり、隣接する上辺または下辺に平行な方向に延びるように設置する。
【００２５】
各リボン８は、表生地と裏生地（位置７ｄの場合は表生地とファスナーテープ５）を縫合する際に一緒にリボン８の一端を縫い付けることで容易に製造できる。リボン８の装着方法は縫着に限らず接着剤や両面テープ等によることもできる。
【００２６】
リボン８の先端付近と中央よりやや根元側の位置には相互に結合可能なスナップボタンの１組が設けられている。凸部材９ａと凹部材９ｂの間隔は布団の対応する輪部にリボンを通して結合させるのに必要十分な長さとする。比較的厚みがあって掴みやすい凸部材９ａを先端側にし凹部材９ｂを根元側に設ければ、リボン８を布団の輪部に回してスナップボタンを係止する際にリボンの引き回しが容易となる。
【００２７】
なお、リボン８の布団への係止手段としては、片手で容易に操作できるものであれば、一組のスナップボタンに替えて一組の面ファスナー、ボタンとボタン穴などの別の手段を使用することも可能である。
【００２８】
以下、本実施態様の布団カバー１の使用方法を説明する。布団カバー１を布団に装着する際には、上辺２ｃの左右のスリット４ａ及び４ｂのそれぞれから腕を入れて布団カバーの下辺２ｄを上方にたぐり寄せ、上下辺の間隔を縮めて下辺２ｄから手を突き出すようにする。本実施形態では下辺２ｄのほぼ全体が開口しているから、左右の手で布団の上部の隣接する角部をつかんで引き寄せることにより、布団を下辺２ｄから容易に布団カバーの内部に入れ、さらに布団カバーのリボン８と布団の対応する輪部の位置を合わせることができる。
【００２９】
次に、スリット４ａ及び４ｂから手を入れて７ｅ、７ｇの位置のリボン８を布団の対応する輪部に通し、各リボンのスナップボタン９ａと９ｂを結合することにより、布団カバー２の奥の両隅に布団の対応する角部を結びつけることができる。このときスリット４ａ、４ｂと異なる辺に対応するリボン８が設けられスリットと平行に延在することにより、リボン８の凸部材９ａはスリットのすぐ内側に位置しており、手探りでも容易にリボン８を操作することができる。また必要に応じて、スリット４ａ及び４ｂから腕を入れて７ａ、７ｂ、７ｃの各位置のリボン８と布団の対応する輪部を結合することができる。
【００３０】
最後に、下辺開口部２ｄ側から布団カバー１の７ｄ、７ｆ、７ｈの各位置のリボン８と布団の対応する輪部を結合することができる。これら布団留め具は必ずしも常に全部を結合する必要はなく、布団の厚みや性状に応じて、使用中にずれないために必要な留め具だけを結合すればよい。
【００３１】
そして最後に下辺２ｄのファスナーブロック６の引き手６ａ又はリボン６ｂを引くことによりファスナーを閉じ、布団カバーの装着を完了する。
【００３２】
もし布団の使用中に布団カバーの中で布団がずれた場合には、スリット４ａおよび４ｂを利用して布団の位置を修正することができる。
【００３３】
以上のように、本考案の布団カバーは、きわめて容易に布団を出し入れし布団留め具を用いて装着することができる。またスリットや布団留め具の位置・構成を工夫したことにより、耐久性も十分である。
【符号の説明】
【００３４】
１  布団カバー
２  表生地
２ａ  左辺
２ｂ  右辺
２ｃ  上辺
２ｄ  下辺
３  裏生地
４ａ、４ｂ  スリット
５  ファスナーテープ
６  ファスナーブロック
６ａ  引き手
６ｂ  リボン
７ａ  左辺の中央
７ｂ  右辺の中央
７ｃ  上辺の中央
７ｄ  下辺の中央
７ｅ  左辺の上隅
７ｆ  左辺の下隅
７ｇ  右辺の上隅
７ｈ  右辺の下隅
８  リボン
９ａ  スナップボタン凸部材
９ｂ  スナップボタン凹部材
【図１】
0003226035.tif 000003
【図２】
0003226035.tif 000004
【手続補正書】
【提出日】令和2年2月7日(2020.2.7)
【手続補正１】
【補正対象書類名】実用新案登録請求の範囲
【補正対象項目名】全文
【補正方法】変更
【補正の内容】
【実用新案登録請求の範囲】
【請求項１】
長方形状の同じ大きさの表生地と裏生地からなり，周囲の四辺のうち三辺は閉じられ，残りの一辺（下辺）が開放されている布団カバーであって，前記下辺と反対側の辺（上辺）に腕を出し入れできる大きさの２か所のスリットが設けられていることを特徴とする布団カバー。
【請求項２】
前記下辺に表生地と裏生地を開閉するリボン付きファスナーを設けたことを特徴とする請求項１記載の布団カバー。
【請求項３】
前記布団カバーの内部において，上辺の中央位置，上下辺を除く二辺（左辺，右辺）の両端位置及び中央位置，及び下辺のファスナーテープの両端位置に布団留め手段を設けたことを特徴とする請求項１または２記載の布団カバー。
【請求項４】
前記布団留め手段が，相互に結合可能な２個のスナップボタンを適宜の間隔で設置したリボンの一端を布団カバーの所定位置に縫着したものであり，前記左右辺の上端位置の布団留め手段は上辺と平行に設けられていることを特徴とする請求項３記載の布団カバー。